【事件の表示】
　特願２００２−１９５７９５「パンチ屑落下防止手段を備えた、孔明け装置に穿孔刃を取付ける支持部材」拒絶査定不服審判事件〔平成１６年　２月　５日出願公開、特開２００４−　３４２４１、請求項の数（１）〕について、次のとおり審決する。
【結　論】
　原査定を取り消す。
　本願の発明は、特許すべきものとする。
【理　由】
１．手続の経緯と本願発明
　本件出願は、平成１４年７月４日の出願であって、本件出願の請求項１に係る発明（以下、「本件発明」という。）は、平成１７年２月１５日付け手続補正書により補正された明細書及び図面の記載からみて、その特許請求の範囲の請求項１に記載された次の事項により特定されるとおりのものと認められる。
　
「【請求項１】
　孔明け装置２００に上下移動自在に取付けられ、穿孔時に生じるパンチ屑を内部２０ａから逃がす穿孔刃２０を支持するホルダ１００を着脱自在に取付けて、前記穿孔刃２０を上下移動させて孔明け操作を行う支持部材１５０であって、内部にパンチ屑を回収する溝部１９を備えるとともに、該溝部１９に前記穿孔刃２０の内部２０ａと連通する開口部１９ａを形成し、さらに、前記ホルダ１００を前記支持部材１５０から取外す時に前記開口部１９ａを遮蔽するパンチ屑落下防止手段１６０を備えることを特徴とする支持部材。」
　
２．引用刊行物の記載事項
　これに対して、原査定の拒絶の理由に引用された、本件出願前に頒布された刊行物である特開２００１−１５７９９６号公報（以下、「刊行物１」という。）には、以下の技術的事項が記載されている。
　
（イ）特許請求の範囲【請求項２】
「基台上の一端に形成する操作台を、取っ手に有するアーム毎に立設し、該アームを前記操作台に左右方向に配した回動軸により回動自在に設けると共に、筒状のパイプロット刃を装着するロットホルダーを前記取っ手と連繋させ、
　該ロットホルダーの側面に筒状パイプロット刃と連通する孔を開口させ、該孔を、前記操作台の取っ手の回動面に対して直角方向の側壁に形成した開口部と整合させ、前記パイプロット刃内を通過するパンチ屑を前記開口部より排出するようにしたことを特徴とする孔明け装置。」
　
（ロ）段落【００１３】
「・・・図７ないし図１１に示す孔明け装置１は、上面が平坦な略長方形の基台２の一方側上部に、取っ手５の一対のアーム５ａ数に対応して独立に間隔をあけて操作台３が形成され、操作台３に左右方向に配した回動軸４（図５参照）により、取っ手５が上方から手前に弧状に移動するように回動自在に設けられている。また、操作台３内部においてアーム５ａをばね付勢して、通常、取っ手５を略垂直状態に置いている。
　また、基台２の書類用紙を載置する箇所の左右側にはゲージ７が設置され、書類用紙の縁部を揃えることで孔明けの位置決めを容易にさせている。」
　
（ハ）段落【００１４】
「操作台３にはパイプロット刃９を装着するロットホルダー１４が設けられ、パイプロット刃９は操作台３の天井部３ｂから下方の基台２上面に臨むように取付けられる。そして、パイプロット刃９の下方の基台２上面にはロットガード１０用の凹部２ａが設けられ、この凹部壁面の略半円部に基基台上面と凹部底面を連絡するテーパ２ｂが形成されている。
　また、一組の操作台３の間にはごみ容器１１が配設され、互いの操作台３の向き合った面にはごみ容器１１内に連絡するように開口部３ｃ（図４参照）が形成されている。ごみ容器１１は透明樹脂等で製作して操作側（前方）から内部が見えるようにされ、上方、または前方に簡単に引き出せる形状にされている。」
　
（ニ）段落【００１７】
「次に、ロットホルダー１４及びパイプロット刃９について説明する。
　図１２及び図１３に示すように、ロットホルダー１４は角柱形状で下部にパイプロット刃９を取付ける円形の孔１４ａが開いている。
　ロットホルダー１４の上部には左右の厚みを削った部位にリンク２２と結合される連結用孔１４ｂが形成され、その下方に直角に交差してパイプロット刃９を固定するねじ孔１４ｃが形成されている。そして、ロットホルダー１４の中間部側面に内部から上下方向に拡がる扇状の開口部１４ｄを形成し、下部に開口された円形の孔１４ａと連通されている。
　また、図１３（ａ），（ｂ）に示すように、ロットホルダー１４の角部に縦溝１４ｅが形成され、操作台３に備えたコ字状枠（樹脂製摺動ガイド）（図示略）によって上下動自在に設置される。」
　
（ホ）段落【００１８】
「パイプロット刃９は図１２（ａ）に示すように取付部の径が大きくされ、図１２（ａ）及び図１３（ａ）に示すように、先割れのＬ型金具２３で保持され、取付ねじ２４でロットホルダー１４に固定される。・・・」
　
（ヘ）段落【００１９】
「本発明の孔明け装置１は、上記のように構成するものであり、書類用紙に孔を明けるときには、書類用紙を基台２上面に載せてパイプロット刃９の下方に挿入し、かつ、ゲージ７に合わせることによって抜き孔の位置を決める。
　そして、取っ手５を回動させるとプレート８及びパイプロット刃９が降下し、書類用紙を押えると共に書類用紙を貫通する。そしてパイプロット刃９が基台上に設置したロットガード１０を圧接し、僅かにくい込んだ位置で停止する。これによって書類用紙のパンチ屑はパイプロット刃９の内部に押し込められ、書類用紙には孔が明けられる。
　パンチ屑は孔明け操作によって連続してパイプロット刃９の内部に押し込められ、上方に移動してロットホルダー１４の開口部１４ｄから外部に放出され、操作台３の開口部３ｃから排出されたパンチ屑は、側方に配置したごみ容器１１の耳部１９ｂに受けられ、容器１８の傾斜面にそって落下し、ごみ容器１１に回収される。」
　
　上記記載事項（ホ）及び図１２（ａ）の記載からみて、パイプロット刃９は、Ｌ型金具２３と取付ねじ２４とでロットホルダー１４に着脱自在に取付けられることが明らかである。
　
　したがって、これらの記載事項からみて、刊行物１には、次の発明が記載されていると認められる。
「孔明け装置１に上下動自在に設置され、書類用紙に孔を明けるときに発生するパンチ屑を内部から逃がすパイプロット刃９を先割れのＬ型金具２３と取付ねじ２４とで着脱自在に取付けて、パイプロット刃９を上下動させて孔明け操作を行うロットホルダー１４であって、前記ロットホルダー１４の中間部側面に内部から上下方向に拡がる扇状の開口部１４ｄを形成し、開口部１４ｄは下部に開口された円形の孔１４ａと連通され、円形の孔１４ａにはパイプロット刃９が取付けられるロットホルダー１４。」
　
３．対比・判断
　本件発明と刊行物１に記載された発明とを対比すると、後者における「パイプロット刃９」は前者における「穿孔刃」に相当し、以下同様に、「先割れのＬ金具２３」は「ホルダ」に、「ロットホルダー１４」は「支持部材」に、「開口部１４ｄ」は「溝部」に、「円形の孔１４ａ」は「開口部」にそれぞれ相当する。
　したがって、本件発明と刊行物１に記載された発明との一致点と相違点は次のとおりである。
［一致点］
　孔明け装置に上下移動自在に取付けられ、穿孔時に生じるパンチ屑を内部から逃がす穿孔刃を支持するホルダを着脱自在に取付けて、前記穿孔刃を上下移動させて孔明け操作を行う支持部材であって、内部にパンチ屑を回収する溝部を備えるとともに、該溝部に前記穿孔刃の内部と連通する開口部を形成した支持部材。
［相違点］
　本件発明は、「ホルダを支持部材から取外す時に開口部を遮蔽するパンチ屑落下防止手段」を有するのに対し、刊行物１の発明では、当該構成を備えていない点。
　
　相違点について検討する。
　原査定の拒絶の理由に引用された、本件出願前に頒布された刊行物である実願平４−８１２０７号（実開平６−４２０９８号）のＣＤ−ＲＯＭ（以下、「刊行物２」という。）には、以下の技術的事項が記載されている。
　
（ト）段落【０００５】
「【課題を解決するための手段】
　本考案の穿孔機は、先端で穿孔する円筒状の穿孔部材と、該穿孔部材が嵌合する貫通孔の形成された筒状の連結部材とを具備した穿孔機構を有した穿孔機において、
　前記貫通孔の内壁の前記嵌合した穿孔部材の端部よりも上方の位置に段部が形成され、該段部上に、中心に抜孔と該抜孔から放射状に延びるスリットの形成された弾性材からなる阻止片が設けられていることを特徴とするものである。」
　
（チ）段落【０００６】
「【作用】
　本考案の穿孔機では、穿孔部材の上端部よりも上方で、連結部材の貫通孔内に、中心に抜孔と該抜孔から放射状に延びるスリットの形成された弾性材からなる阻止片が設けられ、阻止片は、任意の力を有して上昇する抜きカスに対しては撓んで抜きカスを上方に通り抜けさせると共に、落下する抜きカスに対しては下方に通り抜けさせることのないものであるから、穿孔部材を連結部材から取り外したとしても抜きカスが連結部材の外部に落下し散乱することを防止することができる。」
　
　上記刊行物２に記載された「阻止片」は、常時、貫通孔内部に存在し、任意の力を有して上昇する抜きカスに対しては撓んで抜きカスを上方に通り抜けさせると共に、落下する抜きカスに対しては下方に通り抜けさせることのないものである。
　しかしながら、刊行物２には、上記相違点に係る「ホルダを支持部材から取外す時に開口部を遮蔽するパンチ屑落下防止手段」という事項が記載されていない。
　上記相違点に係る事項が、孔明け装置等の技術分野において周知の技術手段と認めるに足りる証拠はないから、刊行物１に記載された発明において、パンチ屑落下防止手段として刊行物２に記載された技術的事項を採用したとしても、ホルダを支持部材から取外す時に開口部を遮蔽するパンチ屑落下防止手段を設けることが、当業者が容易に想到し得たものとは認められない。
　本件発明は、上記相違点に係る事項を具備することにより、ホルダを支持部材から取外す時に支持部材の溝部に残存するパンチ屑を開口部から外部に落下することを防止して、作業環境を好適な状態に保つことが可能となるという明細書記載の格別な作用効果を奏するものと認められる。
　したがって、本件発明は、刊行物１及び刊行物２に記載された発明に基づいて当業者が容易に発明をすることができたものとすることができない。
　
４．むすび
　以上のとおりであるから、本件出願の請求項１に係る発明は、刊行物１及び刊行物２に記載された発明に基づいて当業者が容易に発明をすることができたものでなく、特許法第２９条第２項の規定により特許を受けることができないとすることができない。
　また、他に本件出願を拒絶すべきとする理由を発見しない。
　よって、結論のとおり審決する。